(57)【要約】      （修正有）【課題】人工的又は直線的な形状と、材料の繊維による形状と、からなる独特の形状、構造及びこれらによる独特の装飾的な美感を有する単独製品たるフローリング材を提供する。【解決手段】長手方向の繊維方向である中間部４と、長手方向に対して垂直な繊維方向である両端部１７とを蒲鉾状突出部と逆蒲鉾状没入部との噛合を介して接着手段により完全固定して単独製品たるフローリング材として、繊維の外観と各部の形状とがあいまって独特の形状、構造並びにこれらによる装飾的な美観を実現したものである。繊維方向１の流れを中間部４の端面１３がまず直線的に遮り、次に両端部１７の繊維方向５が繊維方向１に対してほぼ垂直に流れ、その流れの広さを端面１９が直線的に画している。かかる構造により、長い流れを短く遮る独特の装飾的な美感を生ずる。【選択図】図５
0003188015.tif 000002
【実用新案登録請求の範囲】
【請求項１】
繊維を含む材料からなる中間部と、繊維を含む材料からなる両端部とによって構成され、該両端部の各端部のフローリング材全体における長手方向の長さが該中間部の長さよりも小さく、該中間部及び該両端部は表層部、中層部及び裏層部からなり、該中層部は突出部及び没入部を有し、該中間部の表層部の表面、側面及び端面にはフローリング材の長手方向に対して平行又は＋−１５度以内の繊維方向を有する繊維が現れており、該両端部の表層部の表面、側面及び端面にはフローリング材の長手方向に対して垂直又は＋−１５度以内の繊維方向を有する繊維が現れており、該中間部の中層部の突出部と該各端部のうち一端部の中層部の没入部とは噛合する構造であって、該中間部の中層部の没入部と該各端部のうち他端部の中層部の突出部とは噛合する構造であって、前記中間部と前記両端部とは該突出部及び該没入部の噛合を介して接着手段により完全固定されて一体となっているフローリング材。
【請求項２】
中間部の繊維方向の流れを中間部の端面がまず直線的に遮り、次に両端部の繊維方向が中間部の繊維方向に対してほぼ垂直に流れ、その流れの広さを両端部の端面が直線的に画している構造により、長い流れを短く遮る独特の美感を生ずるものであって、樹脂系接着剤により中間部と両端部とが固定されており、前記突出部は蒲鉾状であり前記没入部は逆蒲鉾状であることを特徴とする請求項１記載のフローリング材。
【請求項３】
中間部の両側面の底線と端面とを結ぶ接面部分の空間の角度及び両端面の底線と側面とを結ぶ接面部分の空間の角の角度はそれぞれ３０度乃至６０度であり、両端部の両側面の底線と端面とを結ぶ接面部分の空間の角の角度及び両端面の底線と側面とを結ぶ接面部分の空間の角の角度はそれぞれ３０度乃至６０度であることを特徴とする請求項１又は２に記載のフローリング材。
【請求項４】
厚さが８mm〜３０mmであり、幅が６０mm〜２５０mmであり、長さが８００mmを超え１８２０mm以下であり、各端部のフローリング材全体における長手方向の長さが２０mm〜４０mmであることを特徴とする請求項１乃至３に記載のフローリング材。
【考案の詳細な説明】
【技術分野】
【０００１】
本考案は、建物内の床に用いるフローリング材に関するものである。
【背景技術】
【０００２】
建物内の床に用いるフローリング材には、木質材料が好んで用いられる（非特許文献１及び２）。
特に、木質材料が有する美感を活用するために、木目模様を有する化粧板を貼着してフローリング材表面長手方向に木目模様を継ぎ目なく見せる例（特許文献１）、あるいはフローリング材表面において側縁側が低くなるような傾斜面を形成しつつその傾斜面の上下角部に丸みを帯びさせることで無垢材の質感やボリューム感を際立たせる例（特許文献２）がある。
【０００３】
これら２例は、木質材料が自然に有する繊維の形状や、自然の樹木や丸太から感じられるボリューム感など、天然の性質を強調するものであり、人為的に創作した直線や平面などの形状とその美感を強調するものではない。
【０００４】
又、長さ１８００mm以上の長尺フローリングよりも安価な９００mm以下の短尺フローリングを相互に完全固定せずに長手方向に仮止め手段により接合することによって長尺フローリングを構成し、もって施工の手間を軽減すると共に長期保管による長手方向の反りを抑制する例がある（特許文献３）。
【０００５】
この例は、施工と保存の観点から、複数のフローリング材を接合して１枚の長尺フローリングとするものであり、形状とその美感を強調するものではない。
【０００６】
人為的に創作した形状とその美感を強調する例として、フローリング材を相互に組み合わせる例がある（特許文献４）。
【０００７】
この例は多数のフローリング材の組合せによる美感を強調するものであり、単体としてのフローリング材の形状とその美感を強調するものではない。
【先行技術文献】
【特許文献】
【０００８】
【特許文献１】特開２０１２−４１７９６号公報
【特許文献２】特開２００７−２６２８０１号公報
【特許文献３】特開２００４−２９３０５２号公報
【特許文献４】米国特許第８３５９８０６号図１１〜図１６
【非特許文献】
【０００９】
【非特許文献１】株式会社小学館「大図説世界の木材」昭和５４年４月２０日初版第１刷発行P１２０〜１２１、P１２８〜１２９
【非特許文献２】株式会社建築資料研究社「コンフォルト１０月号」平成２５年１０月１日発行P６８〜７５
【考案の概要】
【考案が解決しようとする課題】
【００１０】
解決しようとする課題は、人工的又は直線的な形状と、材料の繊維による形状と、からなる独特の形状、構造及びこれらによる独特の装飾的な美感を有する単独製品たるフローリング材を提供することである。
【課題を解決するための手段】
【００１１】
本考案は、フローリング材全体の長手方向に対して平行又はこれから＋−１５度以内の角度の繊維方向を有する材料による中間部と、フローリング材全体の長手方向に対して垂直又はこれから＋−１５度以内の角度の繊維方向を有する材料による両端部と、からなるフローリング材である。
【００１２】
以下において、「長手方向」とは本考案のフローリング材全体における長手方向に、「長さ」とは本考案のフローリング材全体における長手方向の距離に、「幅」とは本考案のフローリング材全体における長手方向に対して垂直かつ水平な方向の距離に、「厚さ」とは本考案のフローリング材全体における長手方向に対して垂直かつ鉛直な方向の距離に、それぞれ限定して用いる。
【００１３】
本考案の中間部は、長さ、幅及び厚さを有し、その厚さがその幅を超えることはなく、その幅がその長さを超えることがない。かつ、その長さはその幅と等しくなることはなく、その厚さと等しくなることもない。
【００１４】
本考案の中間部は、表層部、中層部及び裏層部を有する。
【００１５】
前記表層部は、材料の繊維が該表層部の表面、側面及び端面に現れており、表面は長方形であり、この表層部の表面と両側面とが成す角度及び表面と両端面とが成す角度はそれぞれ直角であるがこれらの角は面取りが施されている。
かつ、両側面の底線と端面とが成す角度及び両端面の底線と側面とが成す角度はそれぞれ直角であるがこれらの線と面を結ぶ接面部分の空間の角の角度は３０度乃至６０度にしている。
【００１６】
前記中層部は、前記表層部の底線に接してその下にあり、前記表層部の一端面及び一側面から一長手方向及び一幅方向へと前記表層部の底線から一定距離だけ水平に外部に向かって突出して突出部を成す。
かつ、前記表層部の他端面及び他側面から他長手方向及び他幅方向とは反対方向へと前記表層部の底線から一定距離だけ水平に内部に向かって没入して没入部を成す。
さらに、該突出部の表面、側面及び裏面が成す突出周面及び表面、端面及び裏面が成す突出周面は蒲鉾状に丸みを帯びており、該没入部の没入周面は逆蒲鉾状に丸みを帯びており、これらの形状により本考案の一フローリング材の該突出部と本考案の他フローリング材の該没入部とは噛合する形状である。
【００１７】
前記裏層部は、前記中層部の底線に接してその下にあり、該裏層部の両側面及び両端面は前記表層部の両側面及び両端面に対してほぼ平行である。該裏層部の幅は、前記中層部の突出部と没入部との噛合を妨げない程度の幅である。
【００１８】
前記両端部は、各端部からなる。
【００１９】
前記各端部は、長さ、幅及び厚さを有し、その長さはその幅よりも小さく、前記中間部の長さよりも小さく、その厚さは前記中間部の厚さと等しく、その幅は前記中間部の幅と等しい。
【００２０】
各端部は、表層部、中層部及び裏層部を有する。
【００２１】
前記各端部の表層部は、材料の繊維が該表層部の表面、側面及び端面に現れており、表面は長方形であり、この表層部の表面と両側面とが成す角度及び表面と両端面とが成す角度はそれぞれ直角であるがこれらの角は面取りが施されている。
かつ、両側面の底線と端面とを結ぶ接面部分の空間の角の角度及び両端面の底線と側面とを結ぶ接面部分の空間の角の角度はそれぞれ３０度乃至６０度にしている。
【００２２】
前記各端部の中層部は、前記各端部の表層部の底線に接してその下にあり、該表層部の一端面及び一側面から一長手方向及び一幅方向へと該表層部の底線から一定距離だけ水平に外部に向かって突出して突出部を成す。
かつ、該表層部の他端面及び他側面から他長手方向及び他幅方向とは反対方向へと該表層部の底線から一定距離だけ水平に内部に向かって没入して没入部を成す。
さらに、該突出部の表面、側面及び裏面が成す突出周面及び表面、端面及び裏面が成す突出周面は蒲鉾状に丸みを帯びており、該没入部の没入周面は逆蒲鉾状に丸みを帯びており、これらの形状により本考案の一フローリング材の該突出部と本考案の他フローリング材の該没入部とは噛合する形状である。
【００２３】
又、前記各端部の中層部の突出部と前記中間部の中層部の没入部とは、上述の一定距離の突出、没入、蒲鉾状突出周面及び逆蒲鉾状没入周面の形状により、噛合する構造である。
前記各端部の中層部の没入部と前記中間部の中層部の突出部とは、上述の一定距離の没入、突出、逆蒲鉾状没入周面及び蒲鉾状突出周面の形状により、噛合する構造である。
そして、この噛合を介して、樹脂系接着剤などの接着手段により中間部と両端部とは完全固定されて一体のフローリング材をなす。
【００２４】
前記各端部の裏層部は、前記各端部の中層部の底線に接してその下にあり、該裏層部の両側面及び両端面は前記表層部の両側面及び両端面に対してほぼ平行である。該裏層部の幅は、前記各端部の中層部の突出部と没入部との噛合を妨げない程度の幅である。
【００２５】
本考案のフローリング材は、前記中間部の中層部の突出部と前記各端部のうち一端部の中層部の没入部とを、前記中間部の中層部の没入部と前記各端部のうち他端部の中層部の突出部とを、それぞれ噛合させて樹脂系接着剤などの接着手段により完全固定し、もって単独製品たるフローリング材とする構造である。
なお、該各突出部は蒲鉾状でない場合もあり、該各没入部は逆蒲鉾状でない場合もあるが、その場合も該各突出部と該各没入部とは噛合する形状である。
【００２６】
本考案に使用する材料としては、植物繊維材、特に木質材料では無垢材、無垢材の集成材などが使用可能であり、他にも金属繊維材、ガラス繊維材、プラスチック繊維材などの繊維を含む材料が使用可能である。
本考案のフローリング材の厚さは８mm〜３０mmが望ましく、幅は６０mm〜２５０mmが望ましく、長さは８００mmを超えて１８２０mm以下が望ましい。各端部の長さは２０mm〜４０mmであることが望ましい。
本考案を構成する中間部及び両端部は、工作用機械又は工具により前記材料を切断し、削り、彫り、面取りし、研磨して前記形状及び構造にすることにより作成される。その工程において生じた屑を除去した後、当該中間部と当該両端部とを前記噛合及び接着手段により完全固定し、もって単独製品たるフローリング材として完成する。
【考案の効果】
【００２７】
本考案において、繊維方向が長手方向に対して平行又は＋−１５度以内の角度であり大きな長方形の表面及び大きな側面を有する中間部が、繊維方向が長手方向に対して垂直又はこれから＋−１５度以内の角度であって中間部表面よりも小さな長方形の表面及び中間部側面よりも小さな側面を有する両端部に挟まれている。
【００２８】
本考案において、中間部の表層部の両側面の底線とその端面とを結ぶ接面部分の空間の角及び該表層部の両端面の底線とその側面とを結ぶ接面部分の空間の角の角度がそれぞれ３０度乃至６０度である。
又、両端部の表層部の両側面の底線とその端面とを結ぶ接面部分の空間の角及び該表層部の両端面の底線とその側面とを結ぶ接面部分の空間の角の角度がそれぞれ３０度乃至６０度である。
【００２９】
以上により、本考案のフローリング材は、中間部の繊維方向の流れを中間部の端面がまず直線的に遮り、次に両端部の繊維方向が中間部の繊維方向に対してほぼ垂直に流れ、その流れの広さを両端部の端面が直線的に画している構造により、長い流れを短く遮る独特の美感を生じさせる。
【００３０】
本考案は、これらの人工的又は直線的な形状と、材料の繊維の形状とがあいまって、独特の形状、構造及びこれらによる流れの動静を感じさせる独特の装飾的な美感を単独製品たるフローリング材として提供するという効果を発揮する。
【００３１】
さらに、本考案のフローリング材は、その突出部及び没入部の形状により一フローリング材と他フローリング材とを噛合させることが可能であるから、複数組み合わせることによって、独特のリズムを感じさせる美感を提供するという効果を発揮する。
【図面の簡単な説明】
【００３２】
【図１】図１は本考案の表面図である。（実施例１）
【図２Ａ】図２Ａは本考案の一側面図である。（実施例１）
【図２Ｂ】図２Ｂは本考案の他側面図である。（実施例１）
【図２Ｃ】図２Ｃは本考案の側面図の部分拡大図である。（実施例１）
【図２Ｄ】図２Ｄは本考案の中間部の部分断面拡大図である。（実施例１）
【図３】図３は本考案の裏面図である。（実施例１）
【図４Ａ】図４Ａは本考案の一端面図である。（実施例１）
【図４Ｂ】図４Ｂは本考案の他端面図である。（実施例１）
【図４Ｃ】図４Ｃは本考案の一端面及び他端面の部分拡大図である。（実施例１）
【図５】図５は本考案の斜視図である。（実施例１）
【図６】図６は本考案を複数組み合わせた例の説明図である。（実施例２）
【図７】図７は本考案の表面の全面に各繊維が現れている例の表面図である。（実施例３）
【考案を実施するための形態】
【００３３】
人工的又は直線的な形状と、材料の繊維の形状とがあいまって、独特の形状、構造及びこれらによる流れの行き交いと動静を感じさせる独特の美感を単独製品たるフローリング材として提供するという効果を発揮する最良の形態として、無垢材を用いた実施例１を以下に示す。実施例１を構成する中間部及び両端部は、工作用機械及び工具により無垢材を切断し、削り、彫り、面取りし、研磨して当該中間部及び当該両端部の形状及び構造にしたものであり、その工程において生じた屑を除去した後、当該中間部の中層部の突出部と当該両端部の各端部のうち一端部の中層部の没入部とを、当該中間部の中層部の没入部と当該各端部のうち他端部の中層部の突出部とを、それぞれ噛合させて樹脂系接着剤により完全固定し、もって単独製品たるフローリング材として完成したものである。
【実施例１】
【００３４】
図１のように、繊維方向１が長手方向に対して平行又は＋−１５度以内の角度であり大きな長方形の表面２及び大きな側面３を有する中間部４が、繊維方向５が長手方向に対して垂直又はこれから＋−１５度以内の角度であって中間部４の表面２よりも小さな長方形の表面６及び中間部４の側面３よりも小さな側面８を有する両端部９に挟まれている。突出部７が表層部１０から突出している。
【００３５】
図２Ａは一側面図であり、図２Ｂは他側面図であり、図２Ｃはこれらの部分拡大図であり、図２Ｄは中間部の部分断面拡大図である。図２Ｃに示す中間部４の表層部１０の側面１１の底線１２とその端面１３とを結ぶ接面部分の空間の角１４及び図２Ｄに示す該表層部１０の端面１３の底線１５とその側面１１とを結ぶ接面部分の空間の角１６の角度がそれぞれ約４５度である。
両端部９の側面８には繊維の断面６０が現れている。
【００３６】
図３は裏面図であり、中間部４の裏面５０には溝５１がある。
【００３７】
図４Ａは一端面図、図４Ｂは他端面図であり、図４Ｃはこれらの部分拡大図である。図４Ｃのように、端部１７aの表層部１８aの端面１９aの底線２０とその側面２１aとを結ぶ接面部分の空間の角２２及び端部１７bの表層部１８bの端面１９bの底線２３とその側面２１bとを結ぶ接面部分の空間の角２４の角度がそれぞれ約４５度である。
【００３８】
図５は斜視図である。繊維方向１の流れを中間部４の端面１３がまず直線的に遮り、次に両端部１７の繊維方向５が繊維方向１に対してほぼ垂直に流れ、その流れの広さを端面１９が直線的に画している。
かかる構造により、長い流れを短く遮る独特の装飾的な美感を生ずる。
【実施例２】
【００３９】
図６の実施例２は、本考案のフローリング材を複数組み合わせたものである。
長い流れを短く遮る美感を生ずる単独の本考案を複数組み合わせることで、スキップするような独特のリズム感のある美感を生ずる。
【実施例３】
【００４０】
図７の実施例３は、本考案のフローリング材の表面の全面に渡って各繊維が現れ、各繊維はそれぞれ両端部の表面の一側面側から他側面側まで、中間部においてはその表面の一端面側から他端面側まで、それぞれ途切れることなく現れている。
【産業上の利用可能性】
【００４１】
本考案のフローリング材は、機械、工具及び接着手段を用いることにより製造可能であり、住宅の建築や修繕において、根太の上に直接設置したり、基礎床の上に設置するなどして床を作るために利用できる。
【符号の説明】
【００４２】
１    中間部の繊維方向
２    中間部の表面
３    中間部の側面
４    中間部
５    両端部の繊維方向
６    両端部の表面
７    突出部
８    両端部の側面
９,１７  両端部
１０  表層部
１１  中間部の表層部の側面
１２  中間部の表層部の側面の底線
１３  中間部の表層部の端面
１４,１６  空間の角
１５  中間部の表層部の端面の底線
１７a,１７b  端部
１８a,１８b  各端部の表層部
１９  端面
１９a,１９b  各端部の表層部の端面
２０,２３  底線
２１a,２１b  側面
２２,２４  空間の角
５０  中間部の裏面
５１  溝
６０  繊維の断面
【図１】
0003188015.tif 000003
【図２Ａ】
0003188015.tif 000004
【図２Ｂ】
0003188015.tif 000005
【図２Ｃ】
0003188015.tif 000006
【図２Ｄ】
0003188015.tif 000007
【図３】
0003188015.tif 000008
【図４Ａ】
0003188015.tif 000009
【図４Ｂ】
0003188015.tif 000010
【図４Ｃ】
0003188015.tif 000011
【図５】
0003188015.tif 000012
【図６】
0003188015.tif 000013
【図７】
0003188015.tif 000014
【手続補正書】
【提出日】平成25年10月16日(2013.10.16)
【手続補正１】
【補正対象書類名】明細書
【補正対象項目名】００１５
【補正方法】変更
【補正の内容】
【００１５】
前記表層部は、材料の繊維が該表層部の表面、側面及び端面に現れており、表面は長方形であり、この表層部の表面と両側面とが成す角度及び表面と両端面とが成す角度はそれぞれ直角であるがこれらの角は面取りが施されている。
かつ、該両側面の底線と該端面とが成す角度及び該両端面の底線と該側面とが成す角度はそれぞれ直角であるがこれらの線と面を結ぶ接面部分の空間の角の角度すなわち該両側面の底線と該端面とを結ぶ接面部分の空間の角の角度及び該両端面の底線と該側面とを結ぶ接面部分の空間の角の角度はそれぞれ３０度乃至６０度にしている。
【手続補正２】
【補正対象書類名】明細書
【補正対象項目名】００２１
【補正方法】変更
【補正の内容】
【００２１】
前記各端部の表層部は、材料の繊維が該表層部の表面、側面及び端面に現れており、表面は長方形であり、この表層部の表面と両側面とが成す角度及び表面と両端面とが成す角度はそれぞれ直角であるがこれらの角は面取りが施されている。
かつ、該両側面の底線と該端面とを結ぶ接面部分の空間の角の角度及び該両端面の底線と該側面とを結ぶ接面部分の空間の角の角度はそれぞれ３０度乃至６０度にしている。
【手続補正３】
【補正対象書類名】実用新案登録請求の範囲
【補正対象項目名】請求項３
【補正方法】変更
【補正の内容】
【請求項３】
中間部の表層部の両側面の底線と該表層部の端面とを結ぶ接面部分の空間の角の角度及び該表層部の両端面の底線と該表層部の側面とを結ぶ接面部分の空間の角の角度はそれぞれ３０度乃至６０度であり、両端部の表層部の両側面の底線と該表層部の端面とを結ぶ接面部分の空間の角の角度及び該表層部の両端面の底線と該表層部の側面とを結ぶ接面部分の空間の角の角度はそれぞれ３０度乃至６０度であることを特徴とする請求項１又は２に記載のフローリング材。